(57)【要約】【課題】緊急性の高い監視情報が優先して監視制御装置に伝達されるようにする。【解決手段】監視対象設備１０から監視情報を取得するローカル監視制御装置２０と、ローカル監視制御装置と通信可能に接続する情報管理装置４０と、情報管理装置４０と通信可能に接続するリモート監視制御装置６０とを含むシステムにおいて、ローカル監視制御装置２０は情報管理装置４０に監視情報送信し、情報管理装置４０は受信した監視情報に設備優先度及び情報優先度を付与して監視情報送信待ちキュー７１５に登録し、情報管理装置４０は、監視情報送信待ちキュー７１５に登録されている監視情報を、各監視情報に付与されている情報優先度の高いものから順に、又は、情報優先度が同じものが登録されていた場合にはその中で最も高い設備優先度を有するものから順に、リモート監視制御装置６０に送信する。【選択図】図１
2008147938.tif 000002
【特許請求の範囲】
【請求項１】
監視対象設備から監視情報を取得するローカル監視制御装置と、
ローカル通信網を介して少なくとも１台以上の前記ローカル監視制御装置が通信可能に接続する情報管理装置と、
リモート通信網を介して少なくとも１台以上の前記情報管理装置と通信可能に接続するリモート監視制御装置と
を含み、
前記ローカル監視制御装置は、前記監視対象設備から取得した前記監視情報に、前記監視対象設備ごとに付与される設備ＩＤ、及び前記監視情報の種類を示す情報である情報種別ＩＤを付与した後、前記監視情報を前記情報管理装置に送信し、
前記情報管理装置は、前記監視情報を随時受信し、受信した前記監視情報に、当該監視情報に付与されている設備ＩＤに対応する設備優先度、及び当該監視情報に付与されている前記情報種別ＩＤに対応する情報優先度を付与した後、前記監視情報を前記リモート監視制御装置に送信するための送信待ちキューである監視情報送信待ちキューに登録し、
前記情報管理装置は、前記監視情報送信待ちキューに登録されている前記監視情報を、前記監視情報のそれぞれに付与されている前記情報優先度順の高いものから順に、又は、前記監視情報送信待ちキューに前記情報優先度が同じ前記監視情報が複数登録されていた場合はその中で最も高い設備優先度を有するものから順に、前記リモート監視制御装置に送信すること
を特徴とする遠隔監視制御システム。
【請求項２】
請求項１に記載の遠隔監視制御システムであって、
前記リモート監視制御装置は出力装置と接続し、
前記リモート監視制御装置は、前記情報管理装置から送信されてくる前記監視情報を、前記監視情報を前記出力装置に出力するための出力待ちキューに登録し、
前記リモート監視制御装置は、前記出力待ちキューに登録されている前記監視情報を、各前記監視情報に付与されている前記情報優先度順の高いものから順に、又は、前記送信待ちキューに前記情報優先度が同じ前記監視情報が複数登録されていた場合には、その中で最も高い設備優先度を有するものから順に、前記出力装置に出力すること
を特徴とする遠隔監視制御システム。
【請求項３】
制御情報に応じて監視対象設備を制御するローカル監視制御装置と、
少なくとも１台以上の前記ローカル監視制御装置がローカル通信網を介して通信可能に接続する情報管理装置と、
少なくとも１台以上の前記情報管理装置とリモート通信網を介して通信可能に接続するリモート監視制御装置と
を含んで構成される遠隔監視制御システムであって、
前記リモート監視制御装置は、前記監視対象設備に対する制御情報に、当該制御情報による制御の対象となる前記監視対象設備を示す設備ＩＤ、及び前記制御情報の内容を示す情報である情報種別ＩＤを付与し、
前記リモート監視制御装置は、前記制御情報に、当該制御情報に付与されている設備ＩＤに対応する設備優先度、及び、当該制御情報に付与されている前記情報種別ＩＤに対応する情報優先度、を付与した後、前記制御情報を前記情報管理装置に送信するための送信待ちキューに登録し、
前記リモート監視制御装置は、前記送信待ちキューに登録されている前記制御情報を、各前記制御情報に付与されている前記情報優先度順の高いものから順に、又は、前記送信待ちキューに前記情報優先度が同じ前記制御情報が複数登録されていた場合には、その中で最も高い設備優先度を有するものから順に、前記情報管理装置に送信すること
を特徴とする遠隔監視制御システム。
【請求項４】
請求項３に記載の遠隔監視制御システムであって、
前記情報管理装置は、前記リモート監視制御装置から送信されてくる前記制御情報を、当該制御情報を前記ローカル監視制御装置に送信するための送信待ちキューである制御情報送信待ちキューに登録し、
前記情報管理装置は、前記制御情報送信待ちキューに登録されている前記制御情報を、各前記制御情報に付与されている前記情報優先度順の高いものから順に、又は、前記制御情報送信待ちキューに前記情報優先度が同じ前記制御情報が複数登録されていた場合には、その中で最も高い設備優先度を有するものから順に、前記ローカル監視制御装置に送信すること
を特徴とする遠隔監視制御システム。
【請求項５】
監視対象設備から監視情報を取得するローカル監視制御装置と、
ローカル通信網を介して少なくとも１台以上の前記ローカル監視制御装置が通信可能に接続する情報管理装置と、
リモート通信網を介して少なくとも１台以上の前記情報管理装置と通信可能に接続するリモート監視制御装置と
を含んで構成される遠隔監視制御システムを用いて行われる遠隔監視方法であって、
前記ローカル監視制御装置は、前記監視対象設備から取得した前記監視情報に、前記監視対象設備ごとに付与される設備ＩＤ、及び前記監視情報の内容を示す情報である情報種別ＩＤを付与した後、前記監視情報を前記情報管理装置に送信し、
前記情報管理装置は、前記監視情報を随時受信し、受信した前記監視情報に、当該監視情報に付与されている設備ＩＤに対応する設備優先度、及び当該監視情報に付与されている前記情報種別ＩＤに対応する情報優先度を付与した後、前記監視情報を前記リモート監視制御装置に送信するための送信待ちキューである監視情報送信待ちキューに登録し、
前記情報管理装置は、前記監視情報送信待ちキューに登録されている前記監視情報を、各前記監視情報に付与されている前記情報優先度順の高いものから順に、又は、前記監視情報送信待ちキューに前記情報優先度が同じ前記監視情報が複数登録されていた場合には、その中で最も高い設備優先度を有するものから順に、前記リモート監視制御装置に送信すること
を特徴とする遠隔監視方法。
【請求項６】
請求項５に記載の遠隔監視方法であって、
前記リモート監視制御装置は出力装置と接続し、
前記リモート監視制御装置は、前記情報管理装置から送信されてくる前記監視情報を、前記監視情報を前記出力装置に出力するための出力待ちキューに登録し、
前記リモート監視制御装置は、前記出力待ちキューに登録されている前記監視情報を、各前記監視情報に付与されている前記情報優先度順の高いものから順に、又は、前記送信待ちキューに前記情報優先度が同じ前記監視情報が複数登録されていた場合には、その中で最も高い設備優先度を有するものから順に、前記出力装置に出力すること
を特徴とする遠隔監視方法。
【請求項７】
制御情報に応じて監視対象設備を制御するローカル監視制御装置と、
少なくとも１台以上の前記ローカル監視制御装置がローカル通信網を介して通信可能に接続する情報管理装置と、
少なくとも１台以上の前記情報管理装置とリモート通信網を介して通信可能に接続するリモート監視制御装置と
を含んで構成される遠隔監視制御システムを用いて行われる遠隔監視方法であって、
前記リモート監視制御装置は、前記監視対象設備に対する制御情報に、当該制御情報による制御対象となる前記監視対象設備を示す設備ＩＤ、及び前記制御情報の内容を示す情報である情報種別ＩＤを付与し、
前記リモート監視制御装置は、前記制御情報に、当該制御情報に付与されている設備ＩＤに対応する設備優先度、及び当該制御情報に付与されている前記情報種別ＩＤに対応する情報優先度を付与した後、前記制御情報を前記情報管理装置に送信するための送信待ちキューに登録し、
前記リモート監視制御装置は、前記送信待ちキューに登録されている前記制御情報を、各前記制御情報に付与されている前記情報優先度順の高いものから順に、又は、前記送信待ちキューに前記情報優先度が同じ前記制御情報が複数登録されていた場合には、その中で最も高い設備優先度を有するものから順に、前記情報管理装置に送信すること
を特徴とする遠隔監視方法。
【請求項８】
請求項７に記載の遠隔監視方法であって、
前記情報管理装置は、前記リモート監視制御装置から送信されてくる前記制御情報を、当該制御情報を前記ローカル監視制御装置に送信するための送信待ちキューである制御情報送信待ちキューに登録し、
前記情報管理装置は、前記制御情報送信待ちキューに登録されている前記制御情報を、各前記制御情報に付与されている前記情報優先度順の高いものから順に、又は、前記制御情報送信待ちキューに前記情報優先度が同じ前記制御情報が複数登録されていた場合には、その中で最も高い設備優先度を有するものから順に、前記ローカル監視制御装置に送信すること
を特徴とする遠隔監視方法。
【発明の詳細な説明】
【技術分野】
【０００１】
本発明は、遠隔監視制御システム及び遠隔監視制御方法に関し、緊急性の高い監視情報を優先してオペレータ等に伝達し、また緊急性の高い制御情報を優先的に監視対象設備に伝達することができるようにする技術に関する。
【背景技術】
【０００２】
電力会社においては、管轄各所に設置されている送電設備や変電設備等の監視対象設備を遠隔地の集中管理センターに設置された監視制御装置で集中管理することにより、監視や制御にかかる設備負担や人的負担の軽減を図るようにしている。また昨今のコージェネレーション設備の普及に伴い、電力会社ではこれらコージェネレーション設備についても監視制御装置による集中管理を行うようになってきている。
【０００３】
遠隔監視制御の仕組みとしては、例えば、特許文献１に示すように、遠隔監視制御システムにおいて、監視局に制御データの送信順位を設定した優先度テーブルを設け、送信可能な回線が使用中であり、回線が空くまで制御データを送信バッファに記憶して待機する際に、優先度テーブルに基づいて、送信バッファに記憶された制御データの送信順序を並べ替えるようにしたものがある。
【特許文献１】特開平１１−３３１１５８号公報
【発明の開示】
【発明が解決しようとする課題】
【０００４】
ところで、このような監視制御システムにおいては、各監視対象設備から管理センターに送られてくる監視情報を、オペレータが精度よく判別し、緊急性や重要性の高いものについては優先的に処理や対応がなされるようにする必要がある。
【０００５】
しかしながら、監視対象設備の数が多くなると、監視情報や制御情報の数が増え、緊急性の高い監視情報の選別にかかるオペレータの負担が増し、判定精度の低下や緊急性の高い障害等への対応が遅れるといった問題が生じる可能性が高まる。
【０００６】
本発明はこのような背景に鑑みてなされたもので、緊急性の高い監視情報を優先してオペレータ等に伝達し、また緊急性の高い制御情報を優先的に監視対象設備に伝達することが可能な遠隔監視制御システム及び遠隔監視制御方法を提供することを目的とする。
【課題を解決するための手段】
【０００７】
上記目的を達成するための請求項１に記載の発明は、遠隔監視制御システムであって、監視対象設備から監視情報を取得するローカル監視制御装置と、ローカル通信網を介して少なくとも１台以上の前記ローカル監視制御装置が通信可能に接続する情報管理装置と、リモート通信網を介して少なくとも１台以上の前記情報管理装置と通信可能に接続するリモート監視制御装置とを含み、前記ローカル監視制御装置は、前記監視対象設備から取得した前記監視情報に、前記監視対象設備ごとに付与される設備ＩＤ、及び前記監視情報の種類を示す情報である情報種別ＩＤを付与した後、前記監視情報を前記情報管理装置に送信し、前記情報管理装置は、前記監視情報を随時受信し、受信した前記監視情報に、当該監視情報に付与されている設備ＩＤに対応する設備優先度、及び当該監視情報に付与されている前記情報種別ＩＤに対応する情報優先度を付与した後、前記監視情報を前記リモート監視制御装置に送信するための送信待ちキューである監視情報送信待ちキューに登録し、前記情報管理装置は、前記監視情報送信待ちキューに登録されている前記監視情報を、前記監視情報のそれぞれに付与されている前記情報優先度順の高いものから順に、又は、前記監視情報送信待ちキューに前記情報優先度が同じ前記監視情報が複数登録されていた場合はその中で最も高い設備優先度を有するものから順に、前記リモート監視制御装置に送信するものである。
【０００８】
本発明によれば、ローカル監視制御装置が取得した監視情報は情報管理装置に送信され、情報管理装置は、取得した監視情報に、設備優先度と情報優先度を付与してリモート監視制御装置に送信するための送信待ちキューである監視情報送信待ちキューに登録される。そして、監視情報送信待ちキューに登録された監視情報は、基本的には情報優先度の高いものから順に、監視情報送信待ちキューに情報優先度が同じ監視情報が複数登録されていた場合には、その中で最も高い設備優先度を有するものから順にリモート監視制御装置に送信される。このため、緊急性の高い監視情報を優先してリモート監視制御装置に伝達することができる。また監視情報送信待ちキューに情報優先度が同じ監視情報が複数存在する場合には、設備優先度の高いものから順にリモート監視制御装置に送信されるので、緊急性の高い重要な設備についての監視情報を優先してリモート監視制御装置に伝達することができる。
【０００９】
本発明のうち請求項２に記載の発明は、請求項１に記載の遠隔監視制御システムであって、前記リモート監視制御装置は出力装置と接続し、前記リモート監視制御装置は、前記情報管理装置から送信されてくる前記監視情報を、前記監視情報を前記出力装置に出力するための出力待ちキューに登録し、前記リモート監視制御装置は、前記出力待ちキューに登録されている前記監視情報を、各前記監視情報に付与されている前記情報優先度順の高いものから順に、又は、前記送信待ちキューに前記情報優先度が同じ前記監視情報が複数登録されていた場合には、その中で最も高い設備優先度を有するものから順に、前記出力装置に出力するものである。
【００１０】
本発明によれば、リモート監視制御装置は、受信した監視情報を、表示装置やプリンタ等の出力装置の出力待ちキューに登録する。そして、リモート監視制御装置は、出力待ちキューに登録されている監視情報を、基本的には情報優先度の高いものから順に、出力待ちキューに情報優先度が同じ監視情報が複数登録されていた場合には、その中で最も高い設備優先度を有するものから順に出力装置に出力する。このため、緊急性の高い監視情報を優先してオペレータ等に伝えることができる。また出力待ちキューに情報優先度が同じ監視情報が複数存在する場合には、設備優先度の高いものから順に出力装置に出力されるので、緊急性の高い重要な設備の監視情報を優先してオペレータ等に伝えることができる。
【００１１】
本発明のうち請求項３に記載の発明は、遠隔監視制御システムであって、制御情報に応じて監視対象設備を制御するローカル監視制御装置と、少なくとも１台以上の前記ローカル監視制御装置がローカル通信網を介して通信可能に接続する情報管理装置と、少なくとも１台以上の前記情報管理装置とリモート通信網を介して通信可能に接続するリモート監視制御装置とを含んで構成される遠隔監視制御システムであって、前記リモート監視制御装置は、前記監視対象設備に対する制御情報に、当該制御情報による制御の対象となる前記監視対象設備を示す設備ＩＤ、及び前記制御情報の内容を示す情報である情報種別ＩＤを付与し、前記リモート監視制御装置は、前記制御情報に、当該制御情報に付与されている設備ＩＤに対応する設備優先度、及び、当該制御情報に付与されている前記情報種別ＩＤに対応する情報優先度、を付与した後、前記制御情報を前記情報管理装置に送信するための送信待ちキューに登録し、前記リモート監視制御装置は、前記送信待ちキューに登録されている前記制御情報を、各前記制御情報に付与されている前記情報優先度順の高いものから順に、又は、前記送信待ちキューに前記情報優先度が同じ前記制御情報が複数登録されていた場合には、その中で最も高い設備優先度を有するものから順に、前記情報管理装置に送信するものである。
【００１２】
本発明によれば、リモート監視制御装置において発生した制御情報は、設備優先度と情報優先度が付与されて情報管理装置に送信するための送信待ちキューである送信待ちキューに登録される。そして、送信待ちキューに登録された制御情報は、基本的には情報優先度の高いものから順に、送信待ちキューに情報優先度が同じ制御情報が複数登録されていた場合には、その複数の制御情報の中で最も高い設備優先度を有するものから順に情報管理装置に送信される。このため、緊急性の高い制御情報を優先して情報管理装置に伝達することができる。また送信待ちキューに情報優先度が同じ監視情報が複数存在する場合には、その中で設備優先度の高いものから順に情報管理装置に送信されるので、緊急性の高い重要な設備の制御情報を優先して情報管理装置に伝達することができる。従って、緊急性の高い重要な設備の制御情報を優先して監視対象設備に伝達することができる。
【００１３】
本発明のうち請求項４に記載の発明は、請求項３に記載の遠隔監視制御システムであって、前記情報管理装置は、前記リモート監視制御装置から送信されてくる前記制御情報を、当該制御情報を前記ローカル監視制御装置に送信するための送信待ちキューである制御情報送信待ちキューに登録し、前記情報管理装置は、前記制御情報送信待ちキューに登録されている前記制御情報を、各前記制御情報に付与されている前記情報優先度順の高いものから順に、又は、前記制御情報送信待ちキューに前記情報優先度が同じ前記制御情報が複数登録されていた場合には、その中で最も高い設備優先度を有するものから順に、前記ローカル監視制御装置に送信するものである。
【００１４】
本発明によれば、情報管理装置はリモート監視制御装置から送信されてくる制御情報を制御情報送信待ちキューに登録し、制御情報送信待ちキューに登録されている制御情報を、基本的には各前記制御情報に付与されている前記情報優先度順の高いものから順に、ローカル監視制御装置に送信する。このため、緊急性の高い重要な設備の制御情報を優先して監視対象設備に伝達することができる。また制御情報送信待ちキューに情報優先度が同じ制御情報が複数登録されていた場合には、その中で最も高い設備優先度を有するものから順に、ローカル監視制御装置に送信する。このため、緊急性の高い重要な設備の制御情報を優先して監視対象設備に伝達することができる。
【００１５】
また本発明のうち請求項５に記載の発明は、監視対象設備から監視情報を取得するローカル監視制御装置と、ローカル通信網を介して少なくとも１台以上の前記ローカル監視制御装置が通信可能に接続する情報管理装置と、リモート通信網を介して少なくとも１台以上の前記情報管理装置と通信可能に接続するリモート監視制御装置とを含んで構成される遠隔監視制御システムを用いて行われる遠隔監視方法であって、前記ローカル監視制御装置は、前記監視対象設備から取得した前記監視情報に、前記監視対象設備ごとに付与される設備ＩＤ、及び前記監視情報の内容を示す情報である情報種別ＩＤを付与した後、前記監視情報を前記情報管理装置に送信し、前記情報管理装置は、前記監視情報を随時受信し、受信した前記監視情報に、当該監視情報に付与されている設備ＩＤに対応する設備優先度、及び当該監視情報に付与されている前記情報種別ＩＤに対応する情報優先度を付与した後、前記監視情報を前記リモート監視制御装置に送信するための送信待ちキューである監視情報送信待ちキューに登録し、前記情報管理装置は、前記監視情報送信待ちキューに登録されている前記監視情報を、各前記監視情報に付与されている前記情報優先度順の高いものから順に、又は、前記監視情報送信待ちキューに前記情報優先度が同じ前記監視情報が複数登録されていた場合には、その中で最も高い設備優先度を有するものから順に、前記リモート監視制御装置に送信することとする。
【００１６】
また本発明のうち請求項６に記載の発明は、請求項５に記載の遠隔監視方法であって、前記リモート監視制御装置は出力装置と接続し、前記リモート監視制御装置は、前記情報管理装置から送信されてくる前記監視情報を、前記監視情報を前記出力装置に出力するための出力待ちキューに登録し、前記リモート監視制御装置は、前記出力待ちキューに登録されている前記監視情報を、各前記監視情報に付与されている前記情報優先度順の高いものから順に、又は、前記送信待ちキューに前記情報優先度が同じ前記監視情報が複数登録されていた場合には、その中で最も高い設備優先度を有するものから順に、前記出力装置に出力することとする。
【００１７】
また本発明のうち請求項７に記載の発明は、制御情報に応じて監視対象設備を制御するローカル監視制御装置と、少なくとも１台以上の前記ローカル監視制御装置がローカル通信網を介して通信可能に接続する情報管理装置と、少なくとも１台以上の前記情報管理装置とリモート通信網を介して通信可能に接続するリモート監視制御装置とを含んで構成される遠隔監視制御システムを用いて行われる遠隔監視方法であって、前記リモート監視制御装置は、前記監視対象設備に対する制御情報に、当該制御情報による制御対象となる前記監視対象設備を示す設備ＩＤ、及び前記制御情報の内容を示す情報である情報種別ＩＤを付与し、前記リモート監視制御装置は、前記制御情報に、当該制御情報に付与されている設備ＩＤに対応する設備優先度、及び当該制御情報に付与されている前記情報種別ＩＤに対応する情報優先度を付与した後、前記制御情報を前記情報管理装置に送信するための送信待ちキューに登録し、前記リモート監視制御装置は、前記送信待ちキューに登録されている前記制御情報を、各前記制御情報に付与されている前記情報優先度順の高いものから順に、又は、前記送信待ちキューに前記情報優先度が同じ前記制御情報が複数登録されていた場合には、その中で最も高い設備優先度を有するものから順に、前記情報管理装置に送信することとする。
【００１８】
また本発明のうち請求項８に記載の発明は、請求項７に記載の遠隔監視方法であって、前記情報管理装置は、前記リモート監視制御装置から送信されてくる前記制御情報を、当該制御情報を前記ローカル監視制御装置に送信するための送信待ちキューである制御情報送信待ちキューに登録し、前記情報管理装置は、前記制御情報送信待ちキューに登録されている前記制御情報を、各前記制御情報に付与されている前記情報優先度順の高いものから順に、又は、前記制御情報送信待ちキューに前記情報優先度が同じ前記制御情報が複数登録されていた場合には、その中で最も高い設備優先度を有するものから順に、前記ローカル監視制御装置に送信することとする。
【発明の効果】
【００１９】
本発明によれば、緊急性の高い監視情報を優先してオペレータ等に伝達し、また緊急性の高い制御情報を優先的に監視対象設備に伝達することができるようにすることができる。
【発明を実施するための最良の形態】
【００２０】
以下、本発明の一実施形態につき詳細に説明する。図１に本発明の一実施形態として説明する遠隔監視制御システム１の概略的な構成を示している。同図に示すように、遠隔監視制御システム１は、監視対象設備１０と、監視対象設備１０とともに設けられるローカル監視制御装置２０と、ＬＡＮ（Local Area Network）やＷＡＮ（Wide Area Network）等であるローカル通信網３０を通じてローカル監視制御装置２０と通信可能に接続する情報管理装置４０と、専用線やインターネット等であるリモート通信網５０を通じて情報管理装置４０と通信可能に接続するリモート監視制御装置６０とを含んで構成されている。なお、同図に示すように、一台の情報管理装置４０には、１台以上のローカル監視制御装置２０が接続している。またリモート監視制御装置６０には１台以上の情報管理装置４０が接続している。
【００２１】
ローカル監視制御装置２０は、監視対象設備１０に設けられている各種制御スイッチの状態やセンサによる計測値などの監視対象設備１０の監視情報を情報管理装置４０に随時送信する。またローカル監視制御装置２０は、情報管理装置４０から送られてくる制御情報に応じて監視対象設備１０の制御を行う。
【００２２】
情報管理装置４０は、ローカル監視制御装置２０から送られてくる監視情報を受信する。また情報管理装置４０は、受信した監視情報をリモート監視制御装置６０に随時送信する。さらに情報管理装置４０は、リモート監視制御装置６０から送られてくる制御情報をローカル監視制御装置２０に中継送信する。
【００２３】
リモート監視制御装置６０は、各地に設置されている監視対象設備１０の統括的な監視制御を行う装置である。リモート監視制御装置６０は、情報管理装置４０から送られてくる監視情報を受信し、受信した監視情報をオペレータに提供する。またリモート監視制御装置６０は、情報管理装置４０に制御情報を随時送信する。
【００２４】
図２は、図１に示した遠隔監視制御システム１の適用事例であり、同図に示す遠隔監視制御システム１は、電力会社等によって運用される、各地に存在するコージェネレーション設備１１０の遠隔監視制御を行うシステムである。同図において、コージェネレーション設備１１０は、図１に示した監視対象設備１０に相当する。
【００２５】
コージェネレーション設備１１０に設けられるＰＬＣ１２１（PLC : Programmable Logic Controller）及び通信インタフェース１２２は、図１に示したローカル監視制御装置２０に相当する。ＰＬＣ１２１は、マイクロプロセッサ、メモリ（ＲＡＭ／ＲＯＭ）、入力インタフェース、出力インタフェースを有し、シーケンス制御を行って監視対象設備１０から取得した監視情報（監視対象設備１０に設けられている各種制御スイッチの状態信号や、圧力センサ、温度センサ、電力計、電圧計、電流計、燃料計等の各種センサの出力信号を取得する。またＷｅｂ監視装置１４０から送信されてくる制御情報に従って監視対象設備１０の制御を行う。通信インタフェース１２２は、ＮＩＣ（Network Interface Card）等であり、ＰＬＣ１２１から取得した監視情報をローカル通信網３０に送信し、またローカル通信網３０を通じて受信した制御情報をＰＬＣ１２１に伝える。
【００２６】
図２に示すＷｅｂ監視装置１４０は、情報管理装置４０に相当する。Ｗｅｂ監視装置１４０は、パーソナルコンピュータ等の情報処理装置である。Ｗｅｂ監視装置１４０は、例えば、電力会社の営業所や事業所、制御所等の、コージェネレーション設備１１０の設置場所近くの地域拠点に設置される。Ｗｅｂ監視装置１４０ではデータベースが動作しており、このデータベースにはＰＬＣ１２１から送られてくる監視情報が蓄積される。またＷｅｂ監視装置１４０ではＷｅｂサーバの機能を有し、インターネット１５０を通じて送られてくる要求に応じて監視情報を随時提供する。
【００２７】
遠隔監視サーバ１６０は、図１におけるリモート監視制御装置６０に相当する。リモート監視制御装置６０は、例えば、電力会社の監視センター１９０に設置される。遠隔監視サーバ１６０は、オペレータの指示やリモート監視制御装置６０が備える自動制御機能等によって発生した制御情報を、Ｗｅｂ監視装置１４０に随時送信する。なお、インターネット１５０を通じて行われる、情報管理装置４０とリモート監視制御装置６０との間の通信はＶＰＮ（Virtual Private Network）を用いて安全に行われる。
【００２８】
図３に情報管理装置４０、リモート監視制御装置６０として用いられる情報処理装置の一例を示している。この情報処理装置３００は、バス３１９を介して互いに通信可能に接続されるＣＰＵ３１１、メモリ３１２、外部記憶装置３１３、入力装置３１４、出力装置３１５、及び通信インタフェース３１６を有している。ＣＰＵ３１１は、メモリ３１２や外部記憶装置３１３からプログラムを読み出してこれを実行する。メモリ３１２はＣＰＵ３１１によって実行されるプログラムやデータを記憶する。外部記憶装置３１３は、例えばハードディスク、ＣＤ−ＲＯＭ／ＲＡＭ装置、ＤＶＤ−ＲＯＭ／ＲＡＭ装置、半導体記憶装置であって、プログラムやデータを記録媒体に記録する。入力装置３１４はキーボードやマウスなどである。出力装置３１５は、例えば、液晶モニタやブラウン管ディスプレイなどの表示装置、プリンタである。通信インタフェース３１６は、例えばＮＩＣ（Network Interface Card）である。
【００２９】
図４にローカル監視制御装置２０において実現される機能、及びローカル監視制御装置２０に記憶されるデータを示している。同図において、監視情報取得部４１１は、監視対象設備１０から監視情報を取得する。設備ＩＤ付与部４１２は、監視対象設備１０ごとに付与される識別情報である設備ＩＤを監視情報に付与する。図５に監視対象設備１０に付与される設備ＩＤの一例を示す。ローカル監視制御装置２０は、自身が監視制御を行っている監視対象設備１０の識別番号を記憶している。
【００３０】
情報種別ＩＤ付与部４１３は、監視情報の内容を示す情報である情報種別ＩＤを監視情報に付与する。ローカル通信処理部４１４は、情報管理装置４０との間の通信に関する機能を提供する。図６に監視対象設備１０に付与される情報種別ＩＤテーブルの一例を示す。ローカル監視制御装置２０は、図６に示す情報種別ＩＤテーブル６００を記憶しており、情報種別ＩＤ付与部４１３は、情報種別ＩＤテーブル６００を利用して、監視情報の内容６１１に応じて情報種別ＩＤ６１２を付与する。
【００３１】
図７に情報管理装置４０において実現される機能、及び情報管理装置４０に記憶されるデータを示している。同図に示すローカル通信処理部７１１は、ローカル監視制御装置２０と通信する。
【００３２】
設備優先度付与部７１２は、監視対象設備１０に応じた優先度（以下、設備優先度と称する。）を監視情報に付与する。情報管理装置４０は、図８に示す設備優先度テーブル８００を記憶している。設備優先度付与部７１２は、監視情報に付与されている設備ＩＤ５１１を設備優先度テーブル８００から検索し、検索された設備ＩＤ８１１に対応する設備優先度８１２を監視情報に付与する。
【００３３】
情報優先度付与部７１３は、監視情報の内容に応じた優先度（以下、情報優先度と称する。）を監視情報に付与する。情報管理装置４０は、図９に示す情報優先度テーブル９００を記憶している。情報優先度付与部７１３は、監視情報に付与されている情報種別ＩＤ６１２を情報優先度テーブル９００から検索し、検索された情報種別ＩＤ９１１に対応する情報優先度９１２を監視情報に付与する。
【００３４】
監視情報送信待ちキュー登録部７１４は、監視情報送信待ちキュー７１５にリモート監視制御装置６０に送信する監視情報を登録する。リモート通信処理部７１６は、リモート通信網５０を通じてリモート監視制御装置６０と通信する。
【００３５】
制御情報送信待ちキュー登録部７１７は、ローカル監視制御装置２０に送信する制御情報を制御情報送信待ちキュー７１８に登録する。
【００３６】
図１０にリモート監視制御装置６０において実現される機能、及びリモート監視制御装置６０に記憶されるデータを示している。出力待ちキュー登録部１０１１は、出力装置３１５に出力する監視情報を出力待ちキュー１０１２に登録する。出力処理部１０１３は、出力待ちキュー１０１２に登録されている監視情報を、各監視情報に付与されている優先度に従って出力装置３１５に出力する。
【００３７】
制御情報取得部１０１４は、ユーザによる操作指示や自動制御機能によって発生した、監視対象設備１０に対する制御情報を取得する。
【００３８】
設備ＩＤ付与部１０１５は、制御情報にその制御情報によって制御される監視対象設備１０の設備ＩＤを付与する。リモート監視制御装置６０は、図５に示す設備ＩＤテーブル５００を記憶しており、設備ＩＤ付与部１０１５は、設備ＩＤテーブル５００を利用して、制御装置に設備ＩＤを付与する。
【００３９】
情報種別ＩＤ付与部１０１６は、制御情報にその制御情報の内容を示す情報である情報種別ＩＤを付与する。リモート監視制御装置６０は、図６に示す情報種別ＩＤテーブル６００を記憶しており、情報種別ＩＤ付与部１０１６は、情報種別ＩＤテーブル６００を利用して情報種別ＩＤ６１２を付与する。
【００４０】
設備優先度付与部１０１７は、監視対象設備１０に応じた優先度を制御情報に付与する。リモート監視制御装置６０は、図８に示す設備優先度テーブル８００を記憶している。設備優先度付与部１０１７は、制御情報に付与されている設備ＩＤ５１１に対応する優先度を設備優先度テーブル８００から検索し、検索した設備ＩＤ８１１に対応する優先度８１２を制御情報に付与する。なお、図８の例では、優先度８１２に設定されている数値が小さい程、優先度が高い。また優先度８１２に「Ｚ」が設定されている場合、その設備ＩＤ８１１には優先度は設定されていないことを意味する。
【００４１】
情報優先度付与部１０１８は、制御情報の内容に応じた優先度を制御情報に付与する。リモート監視制御装置６０は、図９に示す情報優先度テーブル９００を記憶している。情報優先度付与部１０１８は、制御情報に付与されている情報種別ＩＤ６１２を情報優先度テーブル９００から検索し、検索した情報種別ＩＤ９１１に対応する優先度９１２を制御情報に付与する。なお、図９の例では、優先度９１２に設定されている数値が小さい程、優先度が高い。また優先度９１２に「Ｚ」が設定されている場合、その設備ＩＤ９１１には優先度は設定されていないことを意味する。
【００４２】
制御情報送信待ちキュー登録部１０１９は、情報管理装置４０に送信する制御情報を制御情報送信待ちキュー１０２０に登録する。
【００４３】
リモート通信処理部１０２１は、リモート通信網５０を通じて情報管理装置４０と通信する。
【００４４】
次に、遠隔監視制御システム１の具体的な動作について説明する。  
図１１Ａは、ローカル監視制御装置２０からリモート監視制御装置６０に監視情報を送信する際に遠隔監視制御システム１によって行われる処理を説明するフローチャートである。
【００４５】
ローカル監視制御装置２０は、監視対象設備１０から監視情報を取得すると（S1101）、取得した監視情報に自身が記憶している設備ＩＤ及び情報種別ＩＤを付与してこれを情報管理装置４０に送信する（S1102〜S1104）。
【００４６】
図１２Ａに、ローカル監視制御装置２０から情報管理装置４０に送信される監視情報のデータ構造の一例を示している。同図に示すように、ローカル監視制御装置２０から情報管理装置４０に送信される監視情報１２１０には、設備ＩＤ１２１１と種別番号１２１２とが付帯する。
【００４７】
情報管理装置４０は、ローカル監視制御装置２０から送信されてくる監視情報を受信すると、受信した監視情報に、設備優先度と情報優先度とを付与してこれを監視情報送信待ちキュー７１５に登録する（S1105〜S1108）。なお、監視情報送信待ちキュー７１５には、各監視情報に対応づけて、それぞれが監視情報送信待ちキュー７１５に登録された日時を示すタイムスタンプも登録される。
【００４８】
情報管理装置４０は、監視情報送信待ちキュー７１５に登録されている監視情報をリモート監視制御装置６０に随時送信する（S1109）。図１１Ｂに、この監視情報の送信に際して情報管理装置４０によって行われる処理の詳細を示している。
【００４９】
まず情報管理装置４０は、監視情報送信待ちキュー７１５に監視情報が２つ以上登録されているかどうかを調べ、１つしか登録されていない場合には（S1151:１つ）、監視情報送信待ちキュー７１５に登録されている監視情報を直ちにリモート監視制御装置６０に送信する（S1152）。一方、監視情報送信待ちキュー７１５に監視情報が２つ以上登録されている場合には（S1151:２つ以上）、監視情報送信待ちキュー７１５に登録されている監視情報のうち最も高い情報優先度が付与されている監視情報を検索する（S1153）。そしてこの検索により監視情報が１つだけ検索された場合には（S1154:１つ）、その監視情報を直ちにリモート監視制御装置６０に送信する（S1155）。一方、監視情報が２つ以上検索された場合には（S1154:２つ以上）、そのうち最も高い設備優先度が付与されている監視情報を直ちにリモート監視制御装置６０に送信する（S1156）。なお、この場合に設備優先度の最も高い監視情報が２つ以上検索された場合には、各監視情報に付与されているタイムスタンプを比較して、監視情報送信待ちキュー７１５に最先に登録された監視情報をリモート監視制御装置６０に送信する。なお、S1151〜S1156の処理は繰り返し実行される。
【００５０】
図１２Ｂに、情報管理装置４０からリモート監視制御装置６０に送信される監視情報のデータ構造の一例を示している。同図に示すように、この監視情報１２１０には、設備ＩＤ１２１１、設備優先度１２２１、及び情報優先度１２２２が付帯する。
【００５１】
リモート監視制御装置６０は、情報管理装置４０から送信されてくる監視情報を受信すると（S1110）、これを出力待ちキュー１０１２に登録する（S1111）。なお、出力待ちキュー１０１２には、各監視情報に対応づけて、それぞれが出力待ちキュー１０１２に登録された日時を示すタイムスタンプも登録される。
【００５２】
リモート監視制御装置６０は、出力待ちキュー１０１２に登録されている監視情報を出力装置３１５に出力する（S1112）。図１１Ｃは、リモート監視制御装置６０が出力待ちキュー１０１２に登録されている監視情報を出力装置３１５に出力する処理を説明するフローチャートである。まずリモート監視制御装置６０は、出力待ちキュー１０１２に監視情報が２つ以上登録されているかどうかを調べ、１つしか登録されていない場合には（S1161:１つ）、出力待ちキュー１０１２に登録されている監視情報を直ちに出力装置３１５に出力する（S1162）。一方、出力待ちキュー１０１２に監視情報が２つ以上登録されている場合には（S1161:２つ以上）、出力待ちキュー１０１２に登録されている監視情報のうち最も高い情報優先度が付与されている監視情報を検索する（S1163）。そしてこの検索により監視情報が１つだけ検索された場合には（S1164:１つ）、その監視情報を直ちにリモート監視制御装置６０に出力する（S1165）。一方、監視情報が２つ以上検索された場合には（S1164:２つ以上）、そのうち最も高い設備優先度が付与されている監視情報を直ちに出力装置３１５に出力する（S1166）。また設備優先度の最も高い監視情報が２つ以上検索された場合には、各監視情報に付与されているタイムスタンプを比較して、最先に出力待ちキュー１０１２に登録された監視情報を出力装置３１５に出力する。なお、S1161〜S1166の処理は繰り返し実行される。図１２Ｃに以上の処理によって出力装置３１５に出力される監視情報の一例を示す。
【００５３】
図１３Ａは、リモート監視制御装置６０からローカル監視制御装置２０に制御情報を送信する際に遠隔監視制御システム１によって行われる処理を説明するフローチャートである。
【００５４】
リモート監視制御装置６０は、制御情報が発生すると（S1301）、発生した制御情報に、設備優先度、情報優先度を付与してこれを送信待ちキュー１０２０に登録する（S1302〜S1304）。なお、送信待ちキュー１０２０には、各制御情報に対応づけて、それぞれが送信待ちキュー１０２０に登録された日時を示すタイムスタンプも登録される。
【００５５】
リモート監視制御装置６０は、送信待ちキュー１０２０に登録されている制御情報を情報管理装置４０に随時送信する（S1305）。図１３Ｂに、制御情報の送信に際してリモート監視制御装置６０によって行われる処理の詳細を示している。
【００５６】
まずリモート監視制御装置６０は、送信待ちキュー１０２０に制御情報が２つ以上登録されているかどうかを調べ、１つしか登録されていない場合には（S1351:１つ）、送信待ちキュー１０２０に登録されている制御情報を直ちに情報管理装置４０に送信する（S1352）。一方、送信待ちキュー１０２０に制御情報が２つ以上登録されている場合には（S1351:２つ以上）、送信待ちキュー１０２０に登録されている制御情報のうち最も高い情報優先度が付与されている制御情報を検索する（S1353）。そしてこの検索により制御情報が１つだけ検索された場合には（S1354:１つ）、その制御情報を直ちに情報管理装置４０に送信する（S1355）。一方、制御情報が２つ以上検索された場合には（S1354:２つ以上）、そのうち最も高い設備優先度が付与されている制御情報を直ちに情報管理装置４０に送信する（S1356）。また設備優先度の最も高い制御情報が２つ以上検索された場合には、各制御情報に付与されているタイムスタンプを比較して、送信待ちキュー１０２０に最先に登録された制御情報を情報管理装置４０に送信する。なお、S1351〜S1356の処理は繰り返し実行される。
【００５７】
図１４に、リモート監視制御装置６０から情報管理装置４０に送信される制御情報のデータ構造の一例を示している。同図に示すように、リモート監視制御装置６０から情報管理装置４０に送信される制御情報には、設備ＩＤ１４１１、設備優先度１４２１、情報優先度１４２２、及び制御情報１４１０が付帯する。
【００５８】
情報管理装置４０は、リモート監視制御装置６０から送信されてくる制御情報を受信すると（S1306）、これを制御情報送信待ちキュー７１８に登録する（S1307）。なお、制御情報送信待ちキュー７１８には、各制御情報に対応づけて、それぞれが制御情報送信待ちキュー７１８に登録された日時を示すタイムスタンプも登録される。
【００５９】
情報管理装置４０は、制御情報送信待ちキュー７１８に登録されている制御情報を随時ローカル監視制御装置２０に送信する（S1308）。図１３Ｃに、この制御情報の送信に際して情報管理装置４０によって行われる処理の詳細を示している。
【００６０】
まず情報管理装置４０は、制御情報送信待ちキュー７１８に制御情報が２つ以上登録されているかどうかを調べ、１つしか登録されていない場合には（S1361:１つ）、制御情報送信待ちキュー７１８に登録されている制御情報を直ちにローカル監視制御装置２０に送信する（S1362）。一方、制御情報送信待ちキュー７１８に制御情報が２つ以上登録されている場合には（S1361:２つ以上）、制御情報送信待ちキュー７１８に登録されている制御情報のうち最も高い情報優先度が付与されている制御情報を検索する（S1363）。そしてこの検索により制御情報が１つだけ検索された場合には（S1364:１つ）、その制御情報を直ちにローカル監視制御装置２０に送信する（S1365）。一方、制御情報が２つ以上検索された場合には（S1364:２つ以上）、そのうち最も高い設備優先度が付与されている制御情報を直ちにローカル監視制御装置２０に送信する（S1366）。なお、この場合に設備優先度の最も高い制御情報が２つ以上検索された場合には、各制御情報に情報に付与されているタイムスタンプを比較して、制御情報送信待ちキュー７１８に最先に登録された制御情報をリモート監視制御装置６０に送信する。なお、S1361〜S1366の処理は繰り返し実行される。
【００６１】
ローカル監視制御装置２０は、情報管理装置４０から送信されてくる制御情報を受信すると（S1309）、その制御情報に従って監視対象設備１０を制御する（S1310）。
【００６２】
ところで、以上の実施形態の説明は、本発明の理解を容易にするためのものであり、本発明を限定するものではない。本発明はその趣旨を逸脱することなく、変更、改良され得ると共に本発明にはその等価物が含まれることは勿論である。
【図面の簡単な説明】
【００６３】
【図１】本発明の一実施形態として説明する遠隔監視制御システム１の概略的な構成を示す図である。
【図２】本発明の一実施形態として説明する遠隔監視制御システム１の適用事例を示す図である。
【図３】本発明の一実施形態として説明する、情報管理装置４０、リモート監視制御装置６０として用いられる情報処理装置の一例を示す図である。
【図４】本発明の一実施形態として説明するローカル監視制御装置２０において実現される機能、及びローカル監視制御装置２０に記憶されるデータを示す図である。
【図５】本発明の一実施形態として説明する監視対象設備１０に付与される設備ＩＤの一覧である設備ＩＤテーブル５００の一例を示す図である。
【図６】本発明の一実施形態として説明する監視対象設備１０に付与される情報種別ＩＤテーブルの一例を示す図である。
【図７】本発明の一実施形態として説明する情報管理装置４０において実現される機能、及び情報管理装置４０に記憶されるデータを示す図である。
【図８】本発明の一実施形態として説明する設備優先度テーブル８００の一例を示す図である。
【図９】本発明の一実施形態として説明する情報優先度テーブル９００の一例を示す図である。
【図１０】本発明の一実施形態として説明するリモート監視制御装置６０において実現される機能、及びリモート監視制御装置６０に記憶されるデータを示す図である。
【図１１Ａ】本発明の一実施形態として説明するローカル監視制御装置２０からリモート監視制御装置６０に監視情報を送信する際に遠隔監視制御システム１によって行われる処理を説明するフローチャートである。
【図１１Ｂ】本発明の一実施形態として説明する監視情報の送信に際して情報管理装置４０によって行われる処理の詳細を説明するフローチャートである。
【図１１Ｃ】本発明の一実施形態として説明するリモート監視制御装置６０が出力待ちキュー１０１２に登録されている監視情報を出力装置３１５に出力する処理を説明するフローチャートである。
【図１２Ａ】本発明の一実施形態として説明するローカル監視制御装置２０から情報管理装置４０に送信される監視情報のデータ構造の一例を示す図である。
【図１２Ｂ】本発明の一実施形態として説明する情報管理装置４０からリモート監視制御装置６０に送信される監視情報のデータ構造の一例を示す図である。
【図１２Ｃ】本発明の一実施形態として説明する出力装置３１５に出力される監視情報の一例を示す図である。
【図１３Ａ】本発明の一実施形態として説明するリモート監視制御装置６０からローカル監視制御装置２０に制御情報を送信する際に遠隔監視制御システム１によって行われる処理を説明するフローチャートである。
【図１３Ｂ】本発明の一実施形態として説明する制御情報の送信に際してリモート監視制御装置６０によって行われる処理の詳細を説明するフローチャートである。
【図１３Ｃ】本発明の一実施形態として説明する制御情報の送信に際して情報管理装置４０によって行われる処理の詳細を説明するフローチャートである。
【図１４】本発明の一実施形態として説明するリモート監視制御装置６０から情報管理装置４０に送信される制御情報のデータ構造の一例を示す図である。
【符号の説明】
【００６４】
１  遠隔監視制御システム              １０  監視対象設備
２０  ローカル監視制御装置            ３０  ローカル通信網
４０  情報管理装置                    ５０  リモート通信網
６０  リモート監視制御装置            １１０  コージェネレーション設備
１２１  ＰＬＣ                        １２２  通信インタフェース
１４０  Ｗｅｂ監視装置                １６０  遠隔監視サーバ
５００  設備ＩＤテーブル              ６００  情報種別ＩＤテーブル
７１２  設備優先度付与部              ７１３  情報優先度付与部
７１５  監視情報送信待ちキュー        ８００  設備優先度テーブル
９００  情報優先度テーブル            ７１８  制御情報送信待ちキュー
１０１２  出力待ちキュー
【図１】
2008147938.tif 000003
【図３】
2008147938.tif 000004
【図４】
2008147938.tif 000005
【図５】
2008147938.tif 000006
【図６】
2008147938.tif 000007
【図７】
2008147938.tif 000008
【図８】
2008147938.tif 000009
【図９】
2008147938.tif 000010
【図１０】
2008147938.tif 000011
【図１１Ａ】
2008147938.tif 000012
【図１１Ｂ】
2008147938.tif 000013
【図１１Ｃ】
2008147938.tif 000014
【図１２Ａ】
2008147938.tif 000015
【図１２Ｂ】
2008147938.tif 000016
【図１２Ｃ】
2008147938.tif 000017
【図１３Ａ】
2008147938.tif 000018
【図１３Ｂ】
2008147938.tif 000019
【図１３Ｃ】
2008147938.tif 000020
【図１４】
2008147938.tif 000021
【図２】
2008147938.tif 000022